(57)【要約】【課題】本発明は、使い勝手とファンション性に優れた遮光シート付き日傘を提供する。【解決手段】本発明は、親骨２の先端に設けた露先３の間の小間４に遮光シート１を垂直に垂らした日傘において、遮光シート１の先端部に、遮光シート１を傘骨６に係止する為の係止用部材７を設けたものであり、遮光シート１の先端部を傘骨６に取り外し自在としたものである。日傘を折り畳む時または強風や人混みなどで遮光シート１が邪魔になる場合は、遮光シート１の先端に設けた係止用部材７を傘骨６に係止することにより、遮光シート１を日傘の内側に収納することが出来、より使い勝手に優れた日傘を実現することができる。さらに、遮光シート１の先端に形状保持部材９を設ける事により、遮光シート１の形を任意に保持することによりファッション性に優れた日傘を提供する事ができる。【選択図】図１
2016077841.tif 000002
【特許請求の範囲】
【請求項１】
親骨の先端に設けた露先間の小間に遮光シートを垂直に垂らした日傘において、前記遮光シートの先端部に、前記遮光シートを前記親骨又は受骨に係止する係止用部材を設けた日傘。
【請求項２】
前記親骨又は前記受骨は強磁性体からなり、前記係止用部材に磁性を有する材料からなる請求項１に記載の日傘。
【請求項３】
前記遮光シートの先端部に、前記遮光シート先端の形状を保持する形状保持部材を設けた請求項１に記載の日傘。
【請求項４】
前記親骨又は前記受骨は強磁性体からなり、前記形状保持部材は磁性を有する材料からなる請求項３に記載の日傘。
【発明の詳細な説明】
【技術分野】
【０００１】  本発明は、透過性を有し紫外線を低滅する遮光シートを用い、使い勝手とファッション性の向上を図った日傘に関するものである。
【背景技術】
【０００２】  従来の日傘には、遮光シートを設けて紫外線を遮ることにより顔や頭を保護するものがある（例えば、特許文献１参照）。
また、遮光シートにのれん状布を用いてファッション性の向上を図ったものもある（例えば、特許文献２参照）。
【先行技術文献】
【特許文献】
【０００３】
【特許文献１】実用新案登録  第３１７３６７８号  公報
【特許文献２】特開２０１４−７９５４７号  公報
【発明の概要】
【発明が解決しようとする課題】
【０００４】  以上に述べた従来の日傘では、小間の端部から垂直に垂らした遮光シートを設けて紫外線を遮る構成としているが、遮光シートが邪魔となって、日傘を開閉するのが困難となり、使い勝手が悪いものであった。また、遮光シートの先端はそのまま垂直に垂らして用いるため、形状の安定性に欠け、ファッション性に優れた形状を保つ事が出来なかった。【０００５】  本発明は、このような従来の構成が有していた課題を解決しようとするものであり、遮光シートの先端を親骨と受骨からなる傘骨に取り外し自在にして、遮光シートを日傘の内側に収納することを可能として、折り畳みの容易な使い勝手が良くファション性に優れた遮光シート付きの日傘を実現することを目的とするものである。
【課題を解決するための手段】
【０００６】  本発明は、上記目的を達成するために、親骨の先端に設けた露先間の小間に遮光シートを垂直に垂らし、遮光シートの先端部に、遮光シートを親骨又は受骨に係止する係止用部材を設けたものである。【０００７】  また、第２の解決手段は、親骨又は受骨が強磁性体からなり、係止用部材に磁性を有する材料を設けたものである。【０００８】  また、第３の解決手段は、遮光シートの先端部に、遮光シート先端の形状を保持する形状保持部材を設けたものである。【０００９】  また、第４の解決手段は、親骨又は受骨が強磁性体からなり、形状保持部材に磁性を有する材料を設けたものである。
【発明の効果】
【００１０】  上述の様に、遮光シートの先端部に係止用部材を設けた事により、遮光シートの先端部を傘骨に取り外し自在とすることができる。日傘を開閉する際は、遮光シートの先端部を傘骨に係止することにより、日傘を容易に開閉することができる。また、日傘を用いて歩行する際は、透過性を有する遮光シートを垂直に垂らして用いることにより、紫外線を遮って、顔や頭を保護するとともに、ファション性に優れた日傘として、屋外を安全に歩行することができる。【００１１】  また、遮光シート先端部に磁性を有する係止用部材を設けたことにより、遮光シートを傘骨に着脱することが容易になり、より使い勝手に優れた日傘を実現することができる。【００１２】  さらに、遮光シートの先端部に形状保持部材を設けることにより、遮光シートの形状を任意の形に保持することができ、ファッション性に優れた日傘を実現することが出来る。【００１３】  また、磁性を有する形状保持部材を設けることにより、任意の形状を保持して、遮光シートを傘骨に係止することができるので、日射しの弱いとき等は、遮光シートを日傘の内側に保持して使用することができ、ファッション性と機能性に優れた日傘を実現することが出来る。
【図面の簡単な説明】
【００１４】
【図１】本発明の第１実施形態を示す日傘の外観図である。
【図２】同日傘の遮光シートを収納した状態を示す外観図である。
【図３】同帯磁係止用部材を傘骨に係止した状態を示す断面図である。
【図４】同第２実施形態を示す日傘の外観図である。
【図５】同日傘の遮光シートを収納した状態を示す外観図である。
【発明を実施するための形態】
【００１５】  以下、本発明第１の実施形態を図１〜図３に基づいて説明する。
図１において、１は遮光シート、親骨２、露先３、小間４、受骨５、傘骨６、係止用部材７である。親骨２の先端部に設けた露先３間の小間４に遮光シート１を垂直に垂らして構成し、遮光シート１の先端部に親骨２と受骨５からなる傘骨６に係止する係止用部材７を設けている。  通常使用する時は、露先３の間の小間４から遮光シート１を垂直に垂らして紫外線を遮って顔や頭を保護して用いる。
図２は、遮光シート１の先端に設けた係止用部材７を傘骨６に係止して遮光シート１を日傘の内側に収納した状態を示している。日傘を折りたたむたたむ時、または強風や人混みなどで遮光シート１が邪魔になる場合に、遮光シート１を日傘の内側に収納して用いることができる。尚、遮光シート１としては、透過性に優れたレース状の布や、メッシュ、フリル、リボンなどを用いることにより、屋外を安全に歩行ができ、ファション性に優れた日傘を実現する事が出来る。また、係止用部材７としては、フックや、面ファスナー、フォックなどを用いる事が出来る。
図３において、８は帯磁係止用部材である。遮光シート１の先端に設けた帯磁係止用部材８を傘骨６に係止する場合、帯磁係止用部材８は磁力を有するために鉄などの強磁性体の傘骨６に容易に係止することが出来る。
次に本発明第２の実施形態を図４と図５に基づいて説明する。第２の実施形態では第１実施形態と異なるところについて説明し、第１実施形態と同一構成のところは同一符号を用いて説明は省略する。
図４において、９は形状保持部材ある。形状保持部材９は遮光シート１の先端部に設けている。遮光シート１を垂直に垂らして用いる場合、遮光シート１に設けた形状保持部材９を任意の形状にする事により、遮光シート１をファション性に優れた形状に保つことができる。  また、風が吹くような状態においても形を安定して用いる事が出来るので、遮光シート１が邪魔にならずファンション性も良い。尚、形状保持部材９としては、針金、可撓性のワイヤー、紐、ワイヤーリボンなどを用いる事が出来る。
また、図５において、１０は帯磁形状保持部材である。遮光シート１の先端に設けた帯磁形状保持部材１０を傘骨６に係止する場合、帯磁形状保持部材１０は磁力を有するために鉄などの強磁性体の傘骨６に容易に係止することが出来る。また、遮光シート１の先端を任意の形状に保ったまま、帯磁形状保持部材１０を傘骨６に係止する事が出来き、遮光シート１を傘の内側に容易に収納して用いる事が出来る。
【符号の説明】
【００１５】  １  遮光シート
２  親骨
３  露先
４  小間
５  受骨
６  傘骨
７  係止用部材
８  帯磁係止用部材
９  形状保持材
１０  帯磁形状保持部材
【図１】
2016077841.tif 000003
【図２】
2016077841.tif 000004
【図３】
2016077841.tif 000005
【図４】
2016077841.tif 000006
【図５】
2016077841.tif 000007